(57)【要約】      （修正有）【課題】曲のメロディーが奏でられ、その曲の音階をリズムよく鳴らすことができ、しかもそのメロディーは１曲だけでなく、数曲のメロディーを切り替えて奏でることができ、幼児らは遊びながら自然に数曲のメロディーを覚えることのできるハンドパペットを提供する。【解決手段】手を挿入できる筒状体に形成された動物や人形、キャラクターなどの形象体を模してなるハンドパペット１の内部に、手指を操作することにより上口片８ａと下口片８ｂを上下に開閉できる口部を設ける。磁気センサーとメロディーＩＣ基板とスピーカーを上口片８ａに配置する。磁石を下口片８ｂに取り付ける。上口片８ａと下口片８ｂの開口度によりスイッチをオンとし、上口片８ａと下口片８ｂを接離してメロディーを奏でる。【選択図】図３
0003129881.tif 000002
【実用新案登録請求の範囲】
【請求項１】
手を挿入できる袋状に形成された動物、人形、キャラクターなどの形象体を模してなるハンドパペットの内部に、手指を操作することにより上口片と下口片を上下に開閉できる口部を設け、磁気センサーとメロディーＩＣ基板とスピーカーを上口片に配置すると共に、磁石を下口片に取り付け、該上口片と下口片の開口度によりスイッチをオンとし、上口片と下口片を接離してメロディーを奏でるように構成したことを特徴とするメロディーハンドパペット。
【請求項２】
前記上口片と下口片は基端部において弾性折曲部で連設されており、上口片と下口片は常に離間する方向に弾性力が働いていることを特徴とする請求項１に記載のメロディーハンドパペット。
【請求項３】
メロディーＩＣ基板には数曲のメロディーが記憶されており、ハンドパペットの適宜位置に埋め込んだ曲目切り替えスイッチで選曲できるように構成したことを特徴とする請求項１または２に記載のメロディーハンドパペット。
【考案の詳細な説明】
【技術分野】
【０００１】
本考案は、手指を動かすことによって口部が開閉してメロディーが奏でるハンドパペットに関するものである。
【背景技術】
【０００２】
従来から音声を発生する玩具は種々のものが知られている。例えば、動物形態を模した縫いぐるみの腹部に発声装置を内蔵させておき、腹部を押圧することにより動物の鳴き声を発するようにした動物玩具がある（例えば、特許文献１参照）。また、別のものとして、人形や動物などの形態を模したパペットの中に手指を入れ、手指の操作により口を動かしてスイッチが入り、あらかじめＩＣ基板に記憶された短い言葉や動物の鳴き声などの音声を発するパペットが知られている（例えば、特許文献２〜４参照）。
【０００３】
【特許文献１】実開平７−２２７９８号公報
【特許文献２】登録実用新案第３０７６０９８号公報
【特許文献３】登録実用新案第３０９９６８６号公報
【特許文献４】登録実用新案第３１１３９２４号公報
【考案の開示】
【考案が解決しようとする課題】
【０００４】
しかしながら、上記の特許文献１は、腹部に発声装置が内蔵してあり、鳴き声が動物の口から発声していないのがはっきりと分かり、不自然でリアル感がなかった。また、上記の特許文献２〜４は、手指の操作により口を動かすとスイッチが入り、言葉や動物の鳴き声が発せられ、あたかもパペットが発声しているようにみせるものであるが、その音声は予め記憶された固定の音声（挨拶などの短いフレーズ）に限られており、遊戯性に欠け幼児らにすぐに飽きられるといった問題点があった。
【０００５】
本考案は、上記の問題を解決することを課題として研究開発されたもので、従来からある短いフレーズや鳴き声ではなく、曲のメロディーが奏でられ、その曲の音階をリズムよく鳴らすことができ、しかもそのメロディーは１曲だけでなく、数曲のメロディーを切り替えて奏でることができ、幼児らは遊びながら自然に数曲のメロディーを覚えることのできるハンドパペットを提供することを目的とするものである。
【課題を解決するための手段】
【０００６】
上記の課題を解決し、その目的を達成する手段として、本考案は、手指を挿入できる袋状に形成された動物、人形、キャラクターなどの形象体を模してなるハンドパペットの内部に、手指を操作することにより上口片と下口片を上下に開閉できる口部を設け、磁気センサーとメロディーＩＣ基板とスピーカーを上口片に配置すると共に、磁石を下口片に取り付け、該上口片と下口片の開度によりスイッチをオンとし、上口片と下口片を接離してメロディーを奏でるように構成したことを特徴とするメロディーハンドパペットを開発し、採用した。
【０００７】
上記のように構成したメロディーハンドパペットにおいて、前記上口片と下口片は基端部において弾性折曲部で連設されており、上口片と下口片は常に離間する方向に弾性力が働いていることを特徴とするメロディーハンドパペット、およびメロディーＩＣ基板には数曲のメロディーが記憶されており、ハンドパペットの適宜位置に埋め込んだ曲目切り替えスイッチで選曲できるように構成したことを特徴とするメロディーハンドパペットを開発し、採用した。
【考案の効果】
【０００８】
本考案によれば、パペットの口部の上口片と下口片を接離することにより、メロディーの音階をリズムよく鳴らして奏でられるので、視覚的な面だけでなく、聴覚的な面からも楽しめる効果が得られ、音の発生を予期しないパペットに対してはメロディーの発声により、意外性の面白さがあって、子供達の興味を著しくそそり、遊びながら自然に曲のメロディーを覚えることができる。
【０００９】
また、上口片と下口片は基端部において弾性折曲部で連設されており、上口片と下口片は常に離間する方向に弾性力が働いているから、上口片と下口片の接離を極めて容易に確実にできると共に、手指が疲れることなく子供でも充分使いこなすことができる。
【００１０】
さらに、メロディーＩＣ基板には数曲のメロディーが記憶されており、数曲のメロディーが楽しめると共に、ハンドパペットの適宜位置に埋め込んだ曲目スイッチを押せば、メロディーが変わるので飽きられることがなく、数曲のメロディーを覚えることができる。
【考案を実施するための最良の形態】
【００１１】
以下に、本考案の実施の形態を添付の図１〜図８に基づいて説明すれば、１は動物、人形、キャラクターなどを模したパペット主体であり、図においては猿を示しているが、犬、猫、熊、パンダ、虎  ライオン等どのような動物でもよい。また人形、キャラクターなどでもよく、手を挿入できる開口部２を有する袋状の胴体部３、顔面部４、頭部５、耳部６、腕部７から構成されている。
【００１２】
顔面部４には、大きく開口する口部８があり、この口部８は図３，４，５に示すように、合成樹脂板などの剛性を有する立壁を有する略半円形状の上口片８ａと下口片８ｂとから構成されており、その上口片８ａと下口片８ｂの基端部において弾性折曲部８ｃで連設されており、上口片８ａと下口片８ｂは常に離間する方向に弾性力が働いている。
【００１３】
上口片８ａの上面には、磁気センサー９と、メロディー入りＩＣ基板１０と、スピーカー１１が配置されており、これらはバッテリー１２を収納するバッテリーケース１２ａから連設する２本のリード線１３，１３によって連結されている。バッテリーケース１２ａは、胴体部３の背面部に設けたポケット部１４に収納されており、スライドファスナー１５を開けることによりポケット部１４から取り出すことができてバッテリー１２の交換ができると共に、バッテリーケース１２ａの底部にメインスイッチ１６を設けてあり、オン・オフできるようになっている。
【００１４】
上口片８ａと相対向する下口片８ｂには磁石１７が配置されてあり、前述の上口片８ａに配置した磁気センサー９との接離、すなわち、口部８の上口片８ａと下口片８ｂの開口角度αが１５度以下の場合（口閉じ）にスイッチがオンしてメロディーが奏でるように設定されているが、必ずしもこの口閉じに限定されることはなく、上口片８ａと下口片８ｂの開口角度αが６０度以上の場合（口開け）にスイッチがオンしてメロディーが奏でるように設定される場合もある。
【００１５】
メロディーＩＣ基板１０には、あらかじめ数曲（４〜８曲）のメロディーが記憶されてあり、曲目切り替えスイッチ１８を押すことにより、メロディーが変わるようになっていて、その曲目切り替えスイッチ１８は外部から見えないように、耳部６の中に埋め込んであるが、必ずしも耳部６に限ることはなく、例えば腕部７などでもよい。要するに、外部から見えない所であればどこでもよい。
【００１６】
このように構成した本考案のパペットの使用状態を作用、効果と共に説明すれば、あらかじめ、バッテリーケース１２ａの底部にあるメインスイッチ１６をオンにしておく。そして、図３に示すように、胴体部３の開口部２に手１９を挿入し、口部８の下口片８ｂの下面に親指２０を当て、上口片８ａの上面に親指２０を除いた他の指２１を当てて挟み、上口片８ａと下口片８ｂの弾発力に抗して上口片８ａと下口片８ｂが近接するように手指を動かし、上口片８ａと下口片８ｂの開口度αが１５度以下の口閉じ状態になると、磁気センサー９と磁石１７によりスイッチが入り、メロディーＩＣ基板１０、スピーカー１１、バッテリー１２が接続され、メロディーが奏でられ、上口片８ａと下口片８ｂを近接・離間する方向に指を動かすことにより、曲の音階をリズムよく鳴らすことができる。
【００１７】
また、上口片８ａと下口片８ｂが離間するように手指を動かし、上口片８ａと下口片８ｂの開口度αが６０度以上の口開き状態になると、磁気センサー９と磁石１７によりスイッチが入り、メロディーＩＣ基板１０、スピーカー１１、バッテリー１２が接続され、メロディーが奏でられ、上口片８ａと下口片８ｂを近接・離間する方向に指を動かすことにより、曲の音階をリズムよく鳴らす場合もある。
【００１８】
上記のように、上口片８ａと下口片８ｂの開口度αが１５度以下の口閉じの状態と、開口度αが６０度以上の口開け状態の２通りでメロディーを奏でることができ、どちらでもよいが、口開け状態でメロディーを奏でる方がより自然でリアリティーがあるので好ましい。また、磁気センサー９と磁石１７からなるスイッチの入力であることから、上口片８ａと下口片８ｂを長い時間近接しておくことができ、同一音階の音を長い音出すことが可能になる。
【００１９】
また、耳部６の内部に埋設され隠れてある曲目切り替えスイッチ１８を押すことにより、違ったメロディーがスピーカー１１から流れ出し、前記と同様に上口片８ａと下口片８ｂが近接・離間するように手指を動かして曲の音階をリズムよく鳴らして演奏できる。そして、曲目切り替えスイッチ１８が外部に出ていないから、曲目切り替えスイッチ１８を押したことが分からず、曲のメロディーが変えることができるので面白味がある。
【００２０】
さらに、口部８の上口片８ａと下口片８ｂは合成樹脂板であると共に、基端部において弾性折曲部８ｃで連設されているから、構成が極めて簡単で安価になり、長い期間の使用に耐え得ると共に、上口片８ａと下口片８ｂは常に離間する方向に弾性力が働いていて接離方向の指操作だけで口部８を開閉でき、子供でも充分使いこなすことができる。
【００２１】
メインスイッチ１６のオン・オフおよびバッテリー１２の交換時においては、胴体部３の背面部に設けたポケット部１４に収納してあるバッテリーケース１２ａが、スライドファスナー１５を開口して取り出すことできるので、オン・オフ操作を簡単により確実に行うことができる。
【００２２】
以上、本考案の実施の形態の例について説明したが、本考案はこれらの実施の形態に限定されるものではなく、例えば、バッテリーケース１２ａの位置を頭部５にすることもあり、スライドファスナー１５に変えて面状ファスナーにすることもある。要するに、考案の目的を達成でき、かつ考案の要旨を逸脱しない範囲内で種々の設計変更が可能であることは勿論のことである。
【産業上の利用可能性】
【００２３】
本考案は、動物形態のみならず、人形、キャラクターなどの形態からなるパペットに有効に利用することができる。
【図面の簡単な説明】
【００２４】
【図１】本考案のパペットの正面図である。
【図２】本考案のパペットの背面図である。
【図３】本考案のパペットの使用状態を示す簡略側面図である。
【図４】上口片と下口片を示す斜視図である。
【図５】上口片と下口片を指で挟んだ状態の側面図である。
【図６】回路図である。
【図７】バッテリーとバッテリーケースを示す斜視図である。
【図８】バッテリーケースを外部に出す状態の斜視図である。
【符号の説明】
【００２５】
１    パペット
８    口部
８ａ  上口片
８ｂ  下口片
８ｃ  弾性折曲部
９    磁気センサー
１０  メロディーＩＣ基板
１１  スピーカー
１７  磁石
１８  曲目切り替えスイッチ
【図１】
0003129881.tif 000003
【図２】
0003129881.tif 000004
【図３】
0003129881.tif 000005
【図４】
0003129881.tif 000006
【図５】
0003129881.tif 000007
【図６】
0003129881.tif 000008
【図７】
0003129881.tif 000009
【図８】
0003129881.tif 000010